(57)【要約】【課題】食器かごにおける食器の正しいセット位置を使用者に確実に認識させることができる食器洗浄乾燥機を提供する。【解決手段】洗浄槽３と、洗浄槽３内に食器Ｗａ，Ｗｂ，Ｗｃ，Ｗｄを支持する食器かご１０とを備え、食器かご１０に、食器Ｗａ，Ｗｂ，Ｗｃ，Ｗｄの種類毎の支持領域１６，１７，１８，１９を設定する。各支持領域１６，１７，１８，１９に支持する食器Ｗａ，Ｗｂ，Ｗｃ，Ｗｄの側面視形状或いは斜視図形状を示す食器図形２６を表示した表示部２５，２９，３０，３１を設ける。【選択図】図２
2016032567.tif 000002
【特許請求の範囲】
【請求項１】
洗浄槽と該洗浄槽内に食器を支持する食器かごとを備える食器洗浄乾燥機において、
前記食器かごに、食器の種類毎の支持領域が設定されていると共に、各支持領域に支持する食器の側面視形状或いは斜視図形状を示す食器図形を表示した表示部が設けられていることを特徴とする食器洗浄乾燥機。
【請求項２】
前記表示部の食器図形は、該表示部に対応する前記支持領域に支持する食器の向きと同じ向きに表示されていることを特徴とする請求項１記載の食器洗浄乾燥機。
【請求項３】
前記表示部には、前記食器図形と共に該食器図形が示す食器の名称が表示されていることを特徴とする請求項１又は２記載の食器洗浄乾燥機。
【請求項４】
前記表示部の食器図形は、前記表示部を貫通して食器の側面視形状或いは斜視図形状に形成された開口であることを特徴とする請求項１〜３の何れか１項記載の食器洗浄乾燥機。
【請求項５】
前記表示部は、前記食器図形の表示面が上方を向く姿勢に設けられ、
該表示面が、一方端縁から他方端縁に向かって傾斜していることを特徴とする請求項１〜３の何れか１項記載の食器洗浄乾燥機。
【発明の詳細な説明】
【技術分野】
【０００１】
本発明は、食器を洗浄し乾燥させる食器洗浄乾燥機に関する。
【背景技術】
【０００２】
食器洗浄乾燥機は、洗浄槽と、洗浄槽内に食器を支持する食器かごとを備えている。この種の食器洗浄乾燥機によって洗浄及び乾燥を行う食器は、大皿、中鉢、小皿、椀等、夫々形状が異なっている。これらの食器は、食器かごに設けられている複数の支持棒間や支持ピン間に差し込むようにセットすることにより食器かごに支持され、この状態で洗浄槽に収容されることによって洗浄及び乾燥が行われる。
【０００３】
しかし、食器かごには、高さ寸法や屈曲形状の異なる複数の支持棒や支持ピンが並んで設けられているのみであるため、支持棒や支持ピンが何れの形状の食器を支持するものであるかを一見して判別することは難しい。
【０００４】
そして、使用者が、食器かごの誤った位置に食器をセットしたり、形状の異なる食器同士を不規則に混在させて食器かごにセットしたりすると、洗浄水が適切に各食器に当たらない状態となって洗浄性が低下するおそれがある。
【０００５】
そこで、従来、食器かごにおいて、一対の支持棒や支持ピン間を連結する連結部材を設け、この連結部材を食器の断面形状を模した形状とすることによって、正しいセット位置を使用者に認識させるようにしたものが提案されている（特許文献１参照）。
【先行技術文献】
【特許文献】
【０００６】
【特許文献１】特開２０１４−７６１３８号公報
【発明の概要】
【発明が解決しようとする課題】
【０００７】
上記特許文献１のように、連結部材によって食器の断面形状を示した場合には、隣り合う連結部材間に食器を差し込むようにセットすることとなる。しかし、連結部材が示している食器と同じ種類の食器であっても、実際の食器の断面形状と連結部材が示す断面形状とが僅かに異なっていると、連結部材が邪魔になって食器を差し込むことができない場合が生じ、セット可能な食器が制限される不都合がある。また、連結部材によって椀等の比較的底の深い食器の断面形状を確実に示すことは困難であり、椀等の下半部の断面形状のみを連結部材によって示した場合には、皿等の底の浅い食器との見分けがつかず、誤った位置に食器がセットされるおそれがある。
【０００８】
上記の点に鑑み、本発明は、食器かごにおける食器の正しいセット位置を使用者に確実に認識させることができる食器洗浄乾燥機を提供することを目的とする。
【課題を解決するための手段】
【０００９】
かかる目的を達成するために、本発明は、洗浄槽と該洗浄槽内に食器を支持する食器かごとを備える食器洗浄乾燥機において、前記食器かごに、食器の種類毎の支持領域が設定されていると共に、各支持領域に支持する食器の側面視形状或いは斜視図形状を示す食器図形を表示した表示部が設けられていることを特徴とする。
【００１０】
本発明によれば、食器かごに表示部を設け、この表示部に、食器の側面視形状或いは斜視図形状を示す食器図形を表示したことにより、使用者は表示部を見るだけで、迷うことなく各支持領域に対応する食器をセットすることができる。そして、食器の種類に応じて食器かごの正しい位置にセットすることができるので、良好な洗浄性を得ることができる。しかも、表示部は、食器かごに食器をセットする際に邪魔にならない位置に設けることができるので、食器のセット性の低下を防止することができる。
【００１１】
また、本発明において、前記表示部の食器図形は、該表示部に対応する前記支持領域に支持する食器の向きと同じ向きに表示されていることを特徴とする。これによれば、使用者は、表示部を見るだけで、食器のセット方向を誤ることなく食器かごに食器をセットすることができ、誤った方向に向けて食器がセットされることによる洗浄性の低下を防止することができる。
【００１２】
また、本発明において、前記表示部には、前記食器図形と共に該食器図形が示す食器の名称が表示されていることが好ましい。
【００１３】
これによれば、使用者が表示部を見たとき、食器図形が示す食器を確実に認識することができ、全く迷うことなく正しい位置に食器をセットすることができる。
【００１４】
また、本発明において、前記表示部の食器図形は、前記表示部を貫通して食器の側面視形状或いは斜視図形状に形成された開口であることを特徴とする。
【００１５】
表示部の開口形状が食器の側面視形状或いは斜視図形状であることによって、使用者にとって食器の種類が確実に認識できる。更に、洗浄中に洗浄水が表示部の開口を容易に通り抜けることができるので、表示部による洗浄性の低下を確実に防止することができるだけでなく、表示部の水切れもよい。
【００１６】
また、本発明において、前記表示部は、前記食器図形の表示面が上方を向く姿勢に設けられ、該表示面が、一方端縁から他方端縁に向かって傾斜していることを特徴とする。
【００１７】
表示部の表示面が上方を向いていることによって、食器かごに食器をセットする際に食器かごを上方から見て確実に表示面が視認できる。しかも、表示部の表示面に洗浄水が付着した場合には、洗浄水は表示面の傾斜によって表示面上に留まることがないため水切れがよくなり、乾燥性の低下を防止することができる。
【図面の簡単な説明】
【００１８】
【図１】本発明の実施形態の食器洗浄乾燥機の構成を模式的に示す説明図。
【図２】食器かごを示す平面図。
【図３】食器かごに食器を支持した状態を示す平面図。
【図４】表示部を示す平面図。
【図５】表示部の傾斜を示す説明図。
【図６】表示部における食器図形の他の例を示す説明図。
【発明を実施するための形態】
【００１９】
本発明の実施形態を図面に基づいて説明する。図１に示す本実施形態の食器洗浄乾燥機１は、システムキッチンに組み込んで設置されるビルトイン式のものであり、食器洗浄乾燥機１の筐体２は、前方が開放されて洗浄槽３を出し入れ自在に収容している。
【００２０】
洗浄槽３の底部側には、洗浄水を噴出する洗浄ノズル４が設けられており、洗浄槽３の背面側には洗浄槽３内の食器を乾燥させるための乾燥用空気を導入する乾燥ダクト５及び乾燥ファン６が設けられている。
【００２１】
更に、洗浄槽３の底部には、洗浄槽３内に残菜フィルタ７を介して連通する洗浄水の溜り部８が設けられている。洗浄槽３の底部下側には、溜り部８に連通する洗浄・排水ポンプ９が設置されている。洗浄・排水ポンプ９は、正転させたときに洗浄ノズル４に洗浄水を供給し、逆転させたときに洗浄槽３からの排水を行う。
【００２２】
洗浄槽３には、食器を支持するための食器かご１０が着脱自在に取り付けらている。前記洗浄ノズル４は、食器かご１０より下方に位置して水平方向に長手の下ノズル１１と、下ノズル１１の長手方向中央部に立設されたセンターノズル１２とにより構成されている。
【００２３】
下ノズル１１は、その長手方向中央部で鉛直軸線回りに旋回しつつ食器かご１０に向けて洗浄水を噴出する。下ノズル１１は、洗浄・排水ポンプ９から供給される洗浄水の噴出反力によって旋回するようになっている。
【００２４】
センターノズル１２は下ノズル１１と一体に回転する下半部１２ａと、この下半部１２ａに上下動自在に挿設された上半部１２ｂとで構成されている。洗浄・排水ポンプ９から洗浄水が供給されたとき、センターノズル１２は下ノズル１１と共に旋回しつつ水圧によって上半部１２ｂが上方にのびるようになっている。そして、センターノズル１２の下半部１２ａ及び上半部１２ｂから食器かご１０に向けて洗浄水が噴出される。
【００２５】
ここで、本実施形態における食器かご１０について詳細に説明する。食器かご１０は、図２に示すように、樹脂でコーティングされた金属製線材によって形成された基枠１３と、基枠１３に固定された複数（本実施形態では２つ）の合成樹脂製の枠部材１４，１５とで構成されている。
【００２６】
基枠１３と枠部材１４，１５とによる食器かご１０には、図３に示すように、夫々形状の異なる食器である大皿Ｗａ、椀Ｗｂ、小皿Ｗｃ、中鉢Ｗｄを各別に集約して支持する領域が設定されている。即ち、食器かご１０は、大皿Ｗａを支持するための領域である大皿支持部１６と、椀Ｗｂを支持する領域である椀支持部１７と、小皿Ｗｃを支持する領域である小皿支持部１８と、中鉢Ｗｄを支持する領域である中鉢支持部１９とに区分されている。
【００２７】
食器かご１０の中央部には、図２及び図３に示すように、センターノズル１２と各食器（大皿Ｗａ、椀Ｗｂ、小皿Ｗｃ、中鉢Ｗｄ）との干渉を避けてセンターノズル１２を挿通させるノズル用開放部２０が形成されている。
【００２８】
大皿支持部１６は、樹脂でコーティングされた金属製の複数の支持棒２１によって形成されている。各支持棒２１は基枠１３に溶接されている。各支持棒２１は２本１組で大皿Ｗａの裏面に当接し、大皿Ｗａを各組の支持棒２１間に差し込むようにセットすることで、大皿Ｗａを横向きに立てた状態で支持するようになっている。
【００２９】
椀支持部１７は、一方の枠部材１４に一体に形成された複数の椀用支持ピン２２によって形成されている。各椀用支持ピン２２は、２本１組で椀Ｗｂの開口縁を掛止することで、椀Ｗｂを横向きに立てた状態で支持するようになっている。
【００３０】
小皿支持部１８は、他方の枠部材１５に一体に形成された複数の小皿用支持ピン２３によって形成され、中鉢支持部１９は、他方の枠部材１５に一体に形成された複数の中鉢用支持ピン２４によって形成されている。そして、各小皿用支持ピン２３は、２本１組で小皿Ｗｃを横向きに立てた状態で支持するようになっており、各中鉢用支持ピン２４は、２本１組で中鉢Ｗｄの開口縁を掛止して横向きに立てた状態で支持するようになっている。
【００３１】
図２に示すように、一方の枠部材１４の椀支持部１７には、椀支持部用表示部２５が設けられている。椀支持部用表示部２５は、板状に形成され、椀支持部１７を形成している合成樹脂製の一方の枠部材１４の底部に一体に設けられている。
【００３２】
椀支持部用表示部２５は、図４に示すように、使用者が上方から視認できるように、椀支持部用表示部２５の上面が表示面とされ、この表示面には、椀Ｗｂの側面視形状を示す食器図形２６と、食器図形２６が示す食器の名称である「おわん」という文字２７と、椀Ｗｂを支持する位置を指し示すマーク２８とが設けられている。そして、食器図形２６は、椀Ｗｂの側面視形状だけでなく、椀支持部１７による椀Ｗｂの支持方向（椀Ｗｂを横向きに立てた状態での開口縁の向き）に一致するように表示されている。
【００３３】
これにより、使用者は、椀支持部用表示部２５を一見するだけで、マーク２８が指し示す位置が椀支持部１７であること、及び、椀支持部１７に支持する椀Ｗｂの姿勢と向きとを的確に認識することができ、迷うことなく洗浄効率のよい配列状態に椀Ｗｂをセットすることができる。
【００３４】
また、食器図形２６は、板状の椀支持部用表示部２５を上下に貫通する開口２６ａにより形成されている。即ち、椀支持部用表示部２５を切り抜いた開口２６ａの形状により食器図形２６が形成されている。これによれば、椀支持部用表示部２５の下方を旋回移動する下ノズル１１から噴出される洗浄水が、開口２６ａである食器図形２６を通って椀Ｗｂに当るので、洗浄効果が低下することもない。
【００３５】
更に、椀支持部用表示部２５は、図５に一部を示すように、一方端縁から他方端縁に向かって傾斜して設けられている。これによれば、椀支持部用表示部２５の表示面である上面に洗浄水が付着しても、その洗浄水は椀支持部用表示部２５の傾斜方向に沿って円滑に流れて、椀支持部用表示部２５の上面に留まることがなく、乾燥動作後の洗浄水の残留を確実に防止することができる。更に、使用者が洗浄槽３の前方斜め上方から食器かご１０を臨むことを想定して、椀支持部用表示部２５の表示面を使用者の視線に向く方向に傾斜させることで、使用者にとって、椀支持部用表示部２５の表示面を一層視認し易くすることが可能となる。
【００３６】
また、図２に示すように、他方の枠部材１５の小皿支持部１８に隣接する位置には小皿支持部用表示部２９が設けられている。小皿支持部用表示部２９には、小皿Ｗｃの側面視形状を示す食器図形２６と、食器図形２６が示す食器の名称である「小ざら」という文字２７と、小皿Ｗｃを支持する位置を指し示すマーク２８とが設けられている。
【００３７】
他方の枠部材１５の中鉢支持部１９には中鉢支持部用表示部３０が設けられている。中鉢支持部用表示部３０には、中鉢Ｗｄの側面視形状を示す食器図形２６と、食器図形２６が示す食器の名称である「中ばち」という文字２７と、中鉢Ｗｄを支持する位置を指し示すマーク２８とが設けられている。
【００３８】
他方の枠部材１５の大皿支持部１６の近傍には大皿支持部用表示部３１が設けられている。大皿支持部用表示部３１には、大皿Ｗａの側面視形状を示す食器図形２６と、食器図形２６が示す食器の名称である「大ざら」という文字２７と、大皿Ｗａを支持する位置を指し示すマーク２８とが設けられている。
【００３９】
このように、小皿支持部用表示部２９、中鉢支持部用表示部３０、及び大皿支持部用表示部３１も、椀支持部用表示部２５と同様の構成を有している。従って、小皿支持部用表示部２９、中鉢支持部用表示部３０、及び大皿支持部用表示部３１も、椀支持部用表示部２５と同じ効果が得られるようになっている。
【００４０】
なお、本実施形態においては、各表示部２５，２９，３０，３１に表示する食器図形２６を各食器（大皿Ｗａ、椀Ｗｂ、小皿Ｗｃ、中鉢Ｗｄ）の側面視形状としたが、食器図形２６はこれに限るものではなく、例えば、他の食器図形２６として図６に示すような斜視図形状としてもよい。図６に示した食器図形２６は斜視図形状であるため２つの開口２６ａにより形成されている。図６は、椀Ｗｂの斜視図形状を示す図形であるが、他の食器（大皿Ｗａ、小皿Ｗｃ、中鉢Ｗｄ）も斜視図形状を食器図形２６して採用することができる。
【００４１】
また、本実施形態においては、各表示部２５，２９，３０，３１を、合成樹脂製の枠部材１４，１５に一体に設けた例を示したが、これに限るものではない。例えば、各表示部２５，２９，３０，３１を枠部材１４，１５とは別体に形成し、或いは、各表示部２５，２９，３０，３１を金属薄板を材料として形成して、食器かご１０における各支持部１６，１７，１８，１９の位置やその近傍に取り付けてもよい。
【００４２】
また、本実施形態においては、食器かご１０が支持する食器として、大皿Ｗａ、椀Ｗｂ、小皿Ｗｃ、中鉢Ｗｄを挙げて、それらの食器に対応する各表示部２５，２９，３０，３１について説明したが、これら以外の食器を支持する場合には、その食器に対応する表示部を設ければよい。
【符号の説明】
【００４３】
１…食器洗浄乾燥機、３…洗浄槽、１０…食器かご、１６…大皿支持部（支持領域）、１７…椀支持部（支持領域）、１８…小皿支持部（支持領域）、１９…中鉢支持部（支持領域）、２５…椀支持部用表示部（表示部）、２６…食器図形、２６ａ…開口、２７…文字（食器の名称）、２９…小皿支持部用表示部（表示部）、３０…中鉢支持部用表示部（表示部）、３１…大皿支持部用表示部（表示部）、Ｗａ…大皿（食器）、Ｗｂ…椀（食器）、Ｗｃ…小皿（食器）、Ｗｄ…中鉢（食器）。
【図１】
2016032567.tif 000003
【図２】
2016032567.tif 000004
【図３】
2016032567.tif 000005
【図４】
2016032567.tif 000006
【図５】
2016032567.tif 000007
【図６】
2016032567.tif 000008